(57)【要約】【課題】動画、静止画同時記録の際の長秒露光撮影に関して、動画記録の動作を阻害することなく、ユーザの望む静止画タイミングで長秒露光に対応する静止画データの記録を可能とする。【解決手段】動画記録時の長秒露光時における静止画を動画記録データを複数枚合成して作成する。この方法によれば静止画タイミングに応じて任意の動画記録データを合成することができるため、長秒露光であっても静止画タイミングとユーザ撮影したいシーンのタイミングを一致させることが可能である。【選択図】図１
2007166539.tif 000002
【特許請求の範囲】
【請求項１】
撮像手段と、
前記撮像手段より出力される動画像データを動画用記録媒体に記録する第１記録手段と、
記録したい静止画の露光時間と静止画タイミングを設定する露光時間／静止画タイミング設定手段と、
前記露光時間／静止画タイミング設定手段により設定された前記露光時間と前記静止画タイミングに基づいて、前記静止画タイミングより以前に前記動画用記録媒体に記録された複数フレームの連続する動画像データを読出して合成し、１枚の合成静止画像データを生成する画像合成手段と、
前記生成された前記合成静止画像データを静止画用記録媒体に記録する第２記録手段と、を備えたことを特徴とする撮像装置。
【請求項２】
前記第１記録手段により、前記撮像手段よりの前記動画像データを順次前記動画用記録媒体に記録している期間において、
前記画像合成手段は、前記露光時間／静止画タイミング設定手段により設定された前記露光時間と前記静止画タイミングに基づいて、前記静止画タイミング以前に前記動画記録媒体に記録された複数フレームまたはフィールドの連続する動画像データを読出して合成すると共に、前記静止画タイミング以降に前記撮像手段から出力される複数フレームまたはフィールドの連続する動画像データも合成し、１枚の前記合成静止画像データを生成する、ことを特徴とする請求項１に記載の撮像装置。
【請求項３】
撮像準備指示と撮像開始指示を行う撮像指示手段と、を更に備え、
前記撮像準備指示に応じて、前記撮像手段における読み出し方式をインターレース加算方式からプログレッシブ非加算方式に変更し、前記撮像開始指示に応じて、前記画像合成手段が１枚の前記合成静止画像データを生成する、ことを特徴とする請求項２に記載の撮像装置。
【請求項４】
前記生成された合成静止画像データの枚数を記録する合成静止画像データ枚数記録手段と、前記合成静止画像データの要求枚数を記録する合成静止画像データ要求枚数記録手段と、をさらに備えた請求項１から４のいずれか１項に記載の撮像装置。
【請求項５】
撮像手段より出力される動画像データを動画用記録媒体に記録する第１記録工程と、
記録したい静止画の露光時間と静止画タイミングを設定する露光時間／静止画タイミング設定工程と、
前記露光時間／静止画タイミング設定工程により設定された前記露光時間と前記静止画タイミングに基づいて、前記静止画タイミングより以前に前記動画用記録媒体に記録された複数フレームまたはフィールドの連続する動画像データを読出して合成し、１枚の合成静止画像データを生成する画像合成工程と、
前記生成された合成静止画像データを静止画用記録媒体に記録する第２記録工程と、を備えたことを特徴とする撮像方法。
【請求項６】
前記第１記録工程により、前記撮像手段よりの前記動画像データを順次前記動画用記録媒体に記録している期間において、
前記画像合成工程は、前記露光時間／静止画タイミング設定手段により設定された前記露光時間と前記静止画タイミングに基づいて、前記静止画タイミング以前に前記動画記録媒体に記録された複数フレームまたはフィールドの連続する動画像データを読出して合成すると共に、前記静止画タイミング以降に前記撮像手段から出力される複数フレームまたはフィールドの連続する動画像データも合成し、１枚の前記合成静止画像データを生成する、ことを特徴とする請求項５に記載の撮像方法。
【請求項７】
請求項５または６に記載された撮像方法に係る前記各工程をコンピュータが実行可能なプログラムコードとして記述されたプログラム。
【請求項８】
請求項７に記載された撮像方法に係る前記各工程をコンピュータが実行可能なプログラムコードとして記述されたプログラムが、コンピュータで読出し可能に記憶された記憶媒体。
【発明の詳細な説明】
【技術分野】
【０００１】
本発明は動画撮影用の撮像装置に関し、動画の撮影中であっても静止画を記録可能な機能を有する撮像装置、撮像方法、プログラム及び記憶媒体に関する。
【背景技術】
【０００２】
従来より知られている、静止画の記録も可能な撮像装置、所謂デジタルビデオカメラの概略的な構成図を図７に示す。図７において、例えばＣＣＤ (Charge Coupled Device) 等の撮像素子及び光学系を含む撮像部２１で光電変換されたデジタルカメラ出力信号は、Ａ／Ｄ (Analog to Digital) 変換回路２２を経てデジタルカメラ信号処理回路２３に送られる。
【０００３】
デジタルカメラ信号処理回路２３で信号処理されたデジタルカメラ信号において、静止画用の静止画像データは、例えば半導体記憶装置で構成される静止画用記録媒体２４に記録される。一方、動画像データはデジタルビデオ信号処理回路２５により信号処理された後に、例えば、磁気テープ、半導体メモリや記録可能なＤＶＤ (Digital Versatile Disk) ディスク等の動画用記録媒体２６に記録される。さらに、また、デジタルビデオ信号処理回路２５の出力は表示制御回路２７に出力されて、表示装置であるＬＣＤ(Liquid Crystal Display) ２８で表示される。
【０００４】
ＬＣＤ２８は、静止画用記録媒体２４４に記録された静止画像データ、動画用記録媒体２６に記録された動画像データを表示するとともに、ビューファインダとしての機能も有する。したがって、記録の開始前に撮像部２１で撮影している動画像データの表示、撮影中の動画像データの表示、静止画用記録媒体４に記録する前に取り込んだ画像のチェックのための静止画像データの表示等の表示をすることが可能に構成されている。尚、図７に示す撮像装置は、ＣＰＵ(Central Processing Unit) ２９が設けられ、メモリ３０に記憶されているアプリケーションプログラムに従って各種の動作が制御される。
【０００５】
近年のデジタルビデオカメラは動画像データの記録中に静止画像データを撮影することが可能になっている。その際の静止画データは静止画記録ボタンが押された時にデジタルカメラ信号処理回路２３に送られてくる動画用画像データから１フィールドの画像データを静止画像データとして抜き出し、静止画用記録媒体２４に記録する。
【０００６】
通常のＣＣＤなどの撮像素子から出力されるインターレース方式のテレビジョン信号の偶数フィールドと奇数フィールドの画像データを読出して加算し静止画像データとするフィールド加算読み出しの場合を考える。この場合、１フィールドの静止画像データとして画像処理し、ＶＧＡ (Video Graphics Array) として静止画用記録媒体４に記録するのが一般的である。
【０００７】
動画像データおよび静止画像データを同時に記録する場合あって、静止画像データの撮影に比較的長い露光時間を与えたい、すなわち長秒露光を行いたい時がある。この場合、従来の長秒露光の方法では、撮像部２１のＣＣＤの動作自体を操作することになり、動画像データが途切れてしまう問題がある。
【０００８】
このような問題の対策として、動画像データから偶数フィールドと奇数フィールドの画像データよりなるフレーム画を演算して静止画像データを合成し出力する。こうすることにより、動画像データが途切れることなく長秒露光に相当する静止画像データを合成し出力する手法が考案されている。
【特許文献１】特開平５-２７６４３１号公報
【発明の開示】
【発明が解決しようとする課題】
【０００９】
しかしながら上記の特許文献１に開示された方法においては、長秒露光の静止画像データを記録する際、静止画用撮影ボタンを押すタイミングが撮影したいシーンのタイミングの前に来る。そのため、記録したい静止画像データのタイミングをはずしてしまうという従来から存在する長秒露光撮影の問題点が依然解決されない。また露光時間中に撮影したいシーンが存在しても記録することができない。
【００１０】
そこで本発明では動画像データおよび静止画像データの同時記録の際の長秒露光の撮影に関して、操作性が良い静止画像データの記録も可能な撮像装置、撮像方法、プログラム及び記憶媒体を提供することを目的とする。
【課題を解決するための手段】
【００１１】
本発明の実施形態においては、撮像手段と、前記撮像手段より出力される動画像データを動画用記録媒体に記録する第１記録手段と、記録したい静止画の露光時間と静止画タイミングを設定する露光時間／静止画タイミング設定手段と、前記露光時間／静止画タイミング設定手段により設定された前記露光時間と前記静止画タイミングに基づいて、前記静止画タイミングより以前に前記動画用記録媒体に記録された複数フレームの連続する動画像データを読出して合成し、１枚の合成静止画像データを生成する画像合成手段と、
前記生成された前記合成静止画像データを静止画用記録媒体に記録する第２記録手段とを備えた撮像装置を提供する。
【００１２】
本発明の他の実施形態においては、前記の実施形態における撮像装置であって、前記第１記録手段により、前記撮像手段よりの前記動画像データを順次前記動画用記録媒体に記録している期間において、前記画像合成手段は、前記露光時間／静止画タイミング設定手段により設定された前記露光時間と前記静止画タイミングに基づいて、前記静止画タイミング以前に前記動画記録媒体に記録された複数フレームまたはフィールドの連続する動画像データを読出して合成すると共に、前記静止画タイミング以降に前記撮像手段から出力される複数フレームまたはフィールドの連続する動画像データも合成し、１枚の前記合成静止画像データを生成する撮像装置を提供する。
【００１３】
本発明のさらに他の実施形態においては、撮像手段より出力される動画像データを動画用記録媒体に記録する第１記録工程と、記録したい静止画の露光時間と静止画タイミングを設定する露光時間／静止画タイミング設定工程と、前記露光時間／静止画タイミング設定工程により設定された前記露光時間と前記静止画タイミングに基づいて、静止画タイミングより以前に前記動画用記録媒体に記録された複数フレームまたはフィールドの連続する動画像データを読出して合成し、１枚の前記合成静止画像データを生成する画像合成工程と、前記生成された前記合成静止画像データを静止画用記録媒体に記録する第２記録工程とを備えた撮像方法を提供する。
【００１４】
本発明のさらに他の実施形態においては、前記の実施形態における撮像方法であって、前記第１記録工程により、前記撮像手段よりの前記動画像データを順次前記動画用記録媒体に記録している期間において、前記画像合成工程は、前記露光時間／静止画タイミング設定手段により設定された露光時間と静止画タイミングに基づいて、前記静止画タイミング以前に前記動画記録媒体に記録された複数フレームまたはフィールドの連続する動画像データを読出して合成すると共に、前記静止画タイミング以降に前記撮像手段から出力される複数フレームまたはフィールドの連続する動画像データも合成し、１枚の前記合成静止画像データを生成する撮像方法を提供する。
【００１５】
本発明のさらに他の実施形態においては、前記の実施形態における撮像方法に係る前記各工程をコンピュータが実行可能なプログラムコードとして記述されたプログラムを提供する。
【００１６】
本発明のさらに他の実施形態においては、前記の実施形態における撮像方法に係る各手順を記述したプログラムが、コンピュータで読出し可能に記録された記憶媒体を提供する。
本発明のさらに他の実施形態においては、前動画の撮影中であっても静止画を記録可能な機能を有する撮像装置、撮像方法、プログラム及び記憶媒体に関する。
【発明の効果】
【００１７】
本発明の実施形態におけるビデオカメラでは、１度記録したあとで動画像データを読み出して静止画像データを作成するため、静止画撮影ボタンが押された静止画タイミングに対して前後任意のフレームを合成することができる。そのため、長秒露光の撮影に対応した静止画像データの生成であっても、記録したい静止画タイミングで静止画撮影ボタンを押すことができる。
【００１８】
また静止画撮影ボタンが押された静止画タイミングで記録することができるため、露光中にさらに静止画撮影ボタンを押しても長秒露光に対応する静止画像データを記録することができる。
【００１９】
さらに動画像データの撮影中に静止画撮影ボタンが押下される静止画タイミングより前のタイミングで読み出し方式を加算から非加算に切り換える。これにより静止画データを非加算の動画像データから生成することができるため、動画像データを途切れることなく、従来技術における加算読み出しで生成した静止画像データより垂直解像度の高い静止画像データを生成することができる。
【発明を実施するための最良の形態】
【００２０】
＜実施形態１＞
以下、本発明の実施形態１に係る撮像装置を添付した図面に参照しながら説明する。図１に本発明の実施形態１における撮像装置の概略構成図を示す。
【００２１】
図１に示すように、例えばＣＣＤ等の撮像素子及び光学系を含む撮像部２１で光電変換されたカメラ出力信号は、Ａ／Ｄ変換回路２２を経てデジタルカメラ信号処理回路２３に送られる。
【００２２】
デジタルカメラ信号処理回路２３で信号処理されたデジタルカメラ信号において、静止画用の静止画像データは、例えば半導体記憶装置で構成される静止画用記録媒体２４に記録される。一方、動画像データはデジタルビデオ信号処理回路２５により信号処理された後に、例えば、半導体メモリや記録可能なＤＶＤディスク等の動画用記録媒体２６に記録される。さらに、また、デジタルビデオ信号処理回路２５の出力は表示制御回路２７に出力されて、表示装置であるＬＣＤ８で表示される。
【００２３】
ＬＣＤ８は、静止画用記録媒体４に記録された静止画像データ、動画用記録媒体２６に記録された動画像データを表示するとともに、ビューファインダとして機能する。さらにＣＰＵ２９が設けられ、メモリ３０に記憶されているアプリケーションプログラムに従って各種の動作が制御される。それらの動作は、ユーザが操作する操作回路３４から入力される各種操作信号に従って実行される。
【００２４】
以上の構成は、図７に示す従来例の構成と同じである。しかし、実施形態１における撮像装置においては、さらに動画用記録媒体２６に記録された動画用画像データを読み出す読出し回路３１、信号合成回路３２および露光時間／静止画タイミング設定回路３３がさらに設けられている。この場合、静止画タイミングは、特定したフレームまたはフィールドと、そのフレームまたはフィールドからの露光時間なのかの情報を含む。さらに、そのフレームまたはフィールドまでの露光時間なのか、若しくはそのそのフレームまたはフィールドを挟んだ前後のそのフレームまたはフィールドの露光時間なのかの情報も含む。
【００２５】
図１に示した本発明の実施形態１の撮像装置の動作を図２に示すフローチャートを用いて説明する。先ず、撮像装置のモード設定ボタン（図示せず）を操作することで発生する操作回路３４からの制御信号で、ステップ１０１に示すように撮像装置は動画撮影モードとなる。このとき、撮像部１で光電変換されたカメラ出力信号はＡ／Ｄ変換回路２２を経てデジタルカメラ信号処理部２３に送られる。
【００２６】
この動画撮影モードの状態で、ステップＳ１０２に示すように、ユーザの選択した静止画像データの露光時間と静止画タイミングに係る信号を操作回路３４を介して露光時間／静止画タイミング設定回路３３に送り設定する。そして露光時間／静止画タイミングの設定後、ステップＳ１０３に進み、ステップＳ１０３で動画撮影開始ボタン（図示せず）が押されるのを待つ。ユーザの操作により動画撮影開始ボタンがおされたことをステップＳ１０３で確認したら、撮像装置は動画像データの撮影及び動画用記録媒体２６への記録を開始する。
【００２７】
ステップＳ１０４では、ユーザの操作により、動画撮影の終了が入力されたかどうかをチェックし、動画撮影を終了するのであれば、ステップＳ１０２にもどり、再びステップＳ１０２で露光時間と静止画タイミングを変更することができる。
【００２８】
動画撮影時にユーザによって静止画撮影ボタンが押下されると、それをステップＳ１０５で認識する。そして、ステップＳ１０６に進み、動画撮影を行いながら、動画用記録媒体２６に記録された画像データを読出し回路３１により読み出し、合成回路３２で複数の画像データの合成を行う。ステップＳ１０６での読み出し／合成処理が終了するとステップＳ１０４の動画撮影の状態に戻る。
【００２９】
次に画像データの合成について図３を用いて詳細に説明する。図３に露光時間を２秒間とし、静止画タイミングを±１秒、すなわち、特定のフレームまたはフィールドの前後１秒間の画像データの合成による長秒露光に対応した静止画像データの生成する場合についての例が示されている。
【００３０】
図３の実施形態では、ＣＣＤなどの撮像素子からの信号の読出しは、テレビジョン信号におけるインターレース方式でのフィールド加算読み出しの場合での説明とする。よく知られているように、インターレース方式では１フィールドの画像データは１/６０秒の露光時間で露光して得られた画像データである。そのため１２０枚のフィールド画像を合成して１枚の静止画を作成すると露光時間が２秒相当の静止画像データを生成することができる。静止画タイミングを±１秒に設定すれば、静止画撮影ボタンを押下した静止画タイミングから前後６０枚ずつのフィールド画を合成して合成静止画像データを生成する。
【００３１】
なお、この場合、動画用記録媒体２６は、動画像データを記録しながら、すでに記録されている動画像データの読出しを見かけ上同時に実行可能な機能を有する記憶媒体を使用することが必要なる。たとえば、半導体記憶装置、ハードデイスク記憶装置や、ＤＶＤ記憶装置を使用することが可能である。もし、動画用記録媒体２６が動画像データを記録しながら、すでに記録されている動画像データの読出しを見かけ上同時に実行可能出来ない場合には、同時に実行可能な記憶媒体を使用するバッファメモリを使用する。たとえば、３秒の露光を最大長秒露光時間に設定すると、たとえば、３秒間相当の動画像データの記憶容量を有する同時に記録と読出しが実行可能な記憶媒体を使用すれば可能となる。
【００３２】
以上のような方法で静止画像データを生成すれば長秒露光の撮影であっても、撮影したい静止画タイミングで静止画撮影ボタンを押下げることにより可能となる。
【００３３】
また、合成する画像データの枚数を変更することで走査方式や読み出し方式などが異なっていても同様の処理を行うことが可能である。
【００３４】
＜実施形態２＞
以下、本発明の他の実施形態における撮像装置の動作に関し、実施形態２として図４のフローチャートを参照して動作を説明する。尚、本実施形態２においても、基本的な構成は、実施形態１で使用した図１に示す撮像装置と基本的に同一の構成の撮像装置で実施することができる。なお、本実施形態２においては、メモリ３０に、静止画撮影ボタン押下回数カウンタとその静止画タイミングを記憶するタイミング記憶レジスタおよび静止画枚数カウンタが設定される。
【００３５】
すなわち、図４のフローチャートにおいて、ステップＳ２０１で動画モードを設定する。そしてステップＳ２０２で、この動画撮影モードの状態で、ステップＳ２０２に示すように、ユーザの選択した静止画像データの露光時間と静止画タイミングに係る信号を操作回路３４を介して露光時間／静止画タイミング設定回路３３に送り設定する。そして露光時間／静止画タイミングの設定後、ステップＳ２０３に進み、ステップＳ２０３で動画撮影開始ボタン（図示せず）が押されるのを待つ。ユーザの操作により動画撮影開始ボタンが押されたことをステップＳ２０３で確認したら、撮像装置は動画像データの撮影及び動画用記録媒体２６への記録を開始する。
【００３６】
ステップＳ２０４では、ユーザの操作により、動画撮影の終了が入力されたかどうかをチェックする。動画撮影を終了するのであれば、ステップＳ２０２にもどり、再びステップＳ２０２で露光時間と静止画タイミングを変更することができる。
【００３７】
動画撮影時に、ユーザによって静止画撮影ボタンが押下されると、それをステップＳ２０５で認識する。そしてステップＳ２０６に進み、メモリ３０に設定した静止画撮影ボタン押下回数カウンタのカウント値に１を足すと共にタイミング記憶レジスタにその静止画タイミングを記憶しステップＳ２０７に進む。
【００３８】
ステップＳ２０７では、メモリ３０に設定されている静止画撮影ボタン押下回数カウンタのカウント値と静止画枚数カウンタのカウント値が比較される。比較の結果、静止画撮影ボタン押下回数カウンタの値が静止画枚数カウンタの値より多ければステップＳ２０８に進み、メモリ３０に設定され、ステップＳ２０６で設定されタイミング記憶レジスタに記憶されている静止画タイミングを読み出す。そして、動画撮影を行いながら、タイミング記憶レジスタから読み出した静止画タイミングに基づき動画用記録媒体２６に記録された動画像データを、読出し回路３１により読み出し、合成回路３２で複数の画像データの合成を行い一枚の合成静止画データの生成を行う。
【００３９】
この、読み出し／合成処理中にステップＳ２０９で静止画撮影ボタンが押下されれば、ステップ静止画撮影ボタン押下回数カウンタに１を加算し、またその静止画タイミングをタイミング記憶レジスタに記憶する。
【００４０】
また、ステップＳ２１１で、読み出し／合成処理が終了すると、静止画枚数カウンタに１を加算し、ステップＳ２０７に戻り、再びメモリに設定されている静止画撮影ボタン押下回数カウンタのカウント値と静止画枚数カウンタのカウント値が比較される。そして、ステップＳ２０７で、静止画撮影ボタン押下回数カウンタの値と、静止画枚数カウンタの値が等しくなるまで読み出し／合成処理を続ける。ステップＳ２０７において、静止画撮影ボタン押下回数カウンタの値と静止画枚数カウンタの値が等しくなると、ステップＳ２０４にもどり、通常の動画記録状態に戻る。以上の方法によれば露光処理時間中であっても、静止画撮影ボタンを押下して長秒露光に対応した静止画像データの作成が可能となる。
【００４１】
＜実施形態３＞
以下、本発明のさらに他の実施形態における撮像装置の動作に関し、実施形態３として図５のフローチャートを参照して動作を説明する。尚、本実施形態３においても、基本的な構成は、実施形態１、２で使用した図１に示す撮像装置と基本的に同一の構成の撮像装置で実施することができる。上記で説明した実施形態２と同様に、メモリ３０に、静止画撮影ボタン押下回数カウンタとその静止画タイミングを記憶するタイミング記憶レジスタおよび静止画枚数カウンタが設定される。
【００４２】
すなわち、図５のフローチャートにおいて、ステップＳ３０１で動画モードを設定する。そしてステップＳ３０２で、この動画撮影モードの状態で、ステップＳ３０２に示すように、ユーザの選択した静止画像データの露光時間と静止画タイミングに係る信号を操作回路３４を介して露光時間／静止画タイミング設定回路３３に送り設定する。そして露光時間／静止画タイミングの設定後、ステップＳ３０３に進み、ステップＳ３０３で動画撮影開始ボタン（図示せず）が押されるのを待つ。ユーザの操作により動画撮影開始ボタンがおされたことをステップＳ３０３で確認したら、撮像装置は動画像データの撮影及び動画用記録媒体２６への記録を開始する。動画撮影時に、ユーザによって静止画撮影ボタンが押下されると、それをステップＳ３０４で認識する。そしてステップＳ３０５に進み、メモリ３０に設定した静止画撮影ボタン押下回数カウンタのカウント値に１を足すと共にタイミング記憶レジスタにその静止画タイミングを記憶しステップＳ３０６に進む。ステップＳ３０６で録画の完了が確認されると、ステップＳ３０７に進む。ステップ３０７においては、メモリ３０に設定されている静止画撮影ボタン押下回数カウンタのカウント値と静止画枚数カウンタのカウント値が比較される。比較の結果、静止画撮影ボタン押下回数カウンタの値が静止画枚数カウンタの値より多ければステップＳ３０８に進み、メモリ３０に設定され、ステップＳ３０５で設定されたタイミング記憶レジスタに記憶されている静止画タイミングを読み出す。タイミング記憶レジスタから読み出した静止画タイミングに基づき動画用記録媒体２６に記録された動画像データを読出し回路３１により読み出し、合成回路３２で複数の画像データの合成を行う。読み出し／合成処理が終了すると、メモリに設定されている静止画枚数カウンタに１を加算し、ステップＳ３０７に戻り、同様の処理を繰り返す。
【００４３】
また、ステップＳ３０７において、静止画撮影ボタン押下回数カウンタの値と静止画枚数カウンタの値が等しくなると、ステップＳ３０２にもどり、次に、動画撮影開始ボタン（図示せず）が押されるのを待つ。
【００４４】
以上のような方法を用いればＤＶ (Digital Video) テープのようなランダムアクセスの困難な記録媒体を使用する撮像装置であっても、動画記録時の長秒露光に対応した静止画像データを生成することが可能となる。
【００４５】
＜実施形態４＞
以下、本発明のさらに他の実施形態に係る撮像装置に関する実施形態４の動作を、図６を参照して説明する。本実施形態４においては動画像データおよび静止画像データの同時記録の際に、動画像データよりも静止画像データを重視して処理を行う実施形態となっている。
【００４６】
図６に示した動作説明図においては、露光時間を２秒間、静止画タイミングを±１秒、読み出し方式の変更タイミングを、静止画撮影ボタンを半押しとした時点とした場合の実施形態である。また、この実施形態４での読み出し方式の変更はインターレース方式の加算読み出しから、プログレッシブ方式の非加算読み出しに変更する場合を例としてあげている。
【００４７】
録画が開始されるとまず、ＣＣＤなどの撮像素子はインターレース方式の加算読み出し方式で信号が読み出され、記録が始まる。動画記録中に静止画撮影ボタンが半押しされると、ＣＰＵ２９からの制御信号で、ＣＣＤの信号読み出し方式をインターレース方式の加算方式からプログレッシブ方式の非加算方式に変更する。プログレッシブ方式の非加算方式では１フレームは１／３０秒である。したがって露光時間が２秒間、静止画タイミングが±１秒の場合、静止画タイミングの前後の３０フレームずつの動画像データが必要となる。露光量に関してはインターレース方式と場合と同様である。
【００４８】
次に、静止画撮影ボタンが全押しされると、静止画タイミングの前後３０フレームずつのプログレッシブ方式で記録されている動画像データを動画用記録媒体２６から読出し、合成して静止画像データを生成する。静止画撮影ボタンが全押しされた後、静止画像データの作成に必要な３０フレーム分の動画像データの読出しが終わると、ＣＣＤの動作モードは、プログレッシブ方式の非加算読み出しからインターレース方式の加算読み出しに変更される。つまり動画像データに関しては静止画撮影ボタンの半押し後から静止画撮影ボタンの全押し後であって静止画作成に必要なフレームを読み出すまではプログレッシブ方式で読み出された信号が記録される。そして、それ以外の区間はインターレース方式で読み出され加算された信号が記録されることになる。以上のような方法を用いれば動画撮影を途切らすことなく静止画像データの垂直解像度が向上されて長秒露光に対応した静止画データを生成することが可能となる。
【００４９】
また、本発明の目的は、前述した実施形態の機能を実現するソフトウェアのプログラムコードを記録した記憶媒体を、システムあるいは装置に供給しても達成可能である。すなわち、そのシステムあるいは装置のコンピュータ（またはＣＰＵやＭＰＵ）が記憶媒体に格納されたプログラムコードを読出し実行することによっても、達成されることは言うまでもない。この場合、記憶媒体から読出されたプログラムコード自体が前述した実施形態の機能を実現することになり、そのプログラムコードを記憶した記憶媒体は本発明を構成することになる。
【００５０】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性の半導体メモリカード、ＲＯＭなどを用いることができる。また、コンピュータが読出したプログラムコードを実行することにより、前述した実施形態の機能が実現される場合もある。
【００５１】
しかし、さらにそのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００５２】
さらに、記憶媒体から読出されたプログラムコードが、コンピュータに挿入された機能拡張ボードやコンピュータに接続された機能拡張ユニットに備わるメモリに書込まれる場合もあり得る。その後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【図面の簡単な説明】
【００５３】
【図１】本発明の実施形態１〜４の動画記録時における長秒露光に対応する静止画データを作成する撮像装置の概略構成図である。
【図２】本発明の実施形態１の動作を説明するフローチャートである。
【図３】本発明の実施形態１の動画記録時における画像合成例である。
【図４】本発明の実施形態２の動作を説明するフローチャートである。
【図５】本発明の実施形態３の動作を説明するフローチャートである。
【図６】本発明の実施形態４の動作を説明する動作説明図である。
【図７】従来の撮像装置の概略構成図である。
【符号の説明】
【００５４】
１  撮像部
４  静止画用記録媒体
５  ビデオ信号処理回路
６  動画用記録媒体
８  ＬＣＤ
９  ＣＰＵ
１０  読み出し回路
１１  合成回路
１２  露光時間／静止画タイミング設定回路
【図１】
2007166539.tif 000003
【図２】
2007166539.tif 000004
【図３】
2007166539.tif 000005
【図４】
2007166539.tif 000006
【図５】
2007166539.tif 000007
【図６】
2007166539.tif 000008
【図７】
2007166539.tif 000009